(57)【特許請求の範囲】
【請求項１】
裏面側に、表面側から裏面側に行くに従って相互に漸近するように傾斜した対向する一対の係合面が形成された化粧材を、下地面に取り付けるために使用される化粧材取付具であって、
弾性を有する材料で形成されており、
下地面に固定される基板部と、相互に対向するように設けられ各々が該基板部から斜め外向きに延びるように立ち上がる板状基端部と該板状基端部に続き該板状基端部に対して鈍角をなすように屈曲して該基板部から遠ざかるように斜め内向きに延びる案内部と該板状基端部及び該案内部の屈曲部を基端として該板状基端部から切り出された舌片により構成され該屈曲部から該基板部に近づくように斜め外向きに延びる係合部とからなる一対の係止固定部と、を備え、
上記各係止固定部は、化粧材を下地面に取り付けるとき、該係止固定部が該化粧材に押圧されて内向きに弾性的に変位した後、該係止固定部が弾性復帰する際に、上記係合部が対応する係合面に係合当接して該係合面を下地面側の斜め外向きに押圧するように形成されていることを特徴とする化粧材取付具。
【請求項２】
請求項１に記載された化粧材取付具において、
上記基板部に、化粧材を下地面に取り付けるとき、該化粧材の裏面側に形成された突出部の側面に当接して該化粧材を位置決めする化粧材位置決め部が立設されていることを特徴とする化粧材取付具。
【請求項３】
請求項１又は２に記載された化粧材取付具において、
上記基板部に、下地面への固定位置の位置決めをするための取付具位置決め標が設けられていることを特徴とする化粧材取付具。
【請求項４】
下地面に化粧材取付具を介して化粧材を取り付けた化粧材取付構造であって、
上記化粧材取付具は、弾性を有する材料で形成されており、下地面に固定される基板部と、相互に対向するように設けられ各々が該基板部から斜め外向きに延びるように立ち上がる板状基端部と該板状基端部に続き該板状基端部に対して鈍角をなすように屈曲して該基板部から遠ざかるように斜め内向きに延びる案内部と該板状基端部及び該案内部の屈曲部を基端として該板状基端部から切り出された舌片により構成され該屈曲部から該基板部に近づくように斜め外向きに延びる係合部とからなる一対の係止固定部と、を備える一方、
上記化粧材は、裏面側に、表面側から裏面側に行くに従って相互に漸近するように傾斜した対向する一対の係合面を備え、
上記各係合部は対応する上記係合面に係合当接して該係合面を下地面側の斜め外向きに押圧することを特徴とする化粧材取付構造。
【発明の詳細な説明】
【０００１】
【発明の属する技術分野】
本発明は、化粧材取付具及びそれを用いた化粧材取付構造に関する。
【０００２】
【従来の技術】
建築物の外壁、破風等の美観を向上させるために化粧材が取り付けられることがある。近年、かかる化粧材の取付は、ビスや釘で直接化粧材を被取付部に打ち付けて取り付ける工法から、被取付部である下地面に化粧材取付具を装着してその化粧材取付具を介して化粧材を取り付ける工法に移行してきている。
【０００３】
かかる化粧材取付具として、特開平８−２７０２００号公報には、化粧材取付具に化粧材裏面を押圧する板バネを設けることについて開示されており、これによって化粧材の前後方向におけるガタツキを防止することができると記載されている。
【０００４】
特開平１０−３０６５７２号公報には、化粧材取付具の受部に係止片を設けることについて開示されており、その受部に化粧材の突起をバネ嵌合することにより、係止片が突起のくびれ部分に係合して化粧材が化粧材取付具から外れるのを防止することができると記載されている。
【０００５】
特開２００２−１３２８６号公報には、上方に向けて開口部を有する第１受部とこの第１受部の内部に設けられ建築躯体側に延びる舌状片とを備えた取付金具と、下方に延びる第１垂下部とこの第１垂下部において建築躯体とは反対側に設けられた突出部とを備えた化粧材と、が用いられ、第１受部に第１垂下部が挿入されて突出部が舌状片を乗り越えることにより両者が固定される化粧材の取付構造が開示されており、これにより取付金具から化粧材が外れることがないと記載されている。
【０００６】
【発明が解決しようとする課題】
本出願の目的は、単一の構成によって、化粧材の前後方向におけるガタツキ及び化粧材取付具からの外れの防止の両方を同時に達成することができ、しかも、耐久性に優れる化粧材取付具及び化粧材取付構造を提供することである。
【０００７】
【課題を解決するための手段】
本発明は、裏面側に、表面側から裏面側に行くに従って相互に漸近するように傾斜した対向する一対の係合面が形成された化粧材を、下地面に取り付けるために使用される化粧材取付具を前提とする。そして、
弾性を有する材料で形成されており、
下地面に固定される基板部と、相互に対向するように設けられ各々が該基板部から斜め外向きに延びるように立ち上がる板状基端部と該板状基端部に続き該板状基端部に対して鈍角をなすように屈曲して該基板部から遠ざかるように斜め内向きに延びる案内部と該板状基端部及び該案内部の屈曲部を基端として該板状基端部から切り出された舌片により構成され該屈曲部から該基板部に近づくように斜め外向きに延びる係合部とからなる一対の係止固定部と、を備え、
上記各係止固定部は、化粧材を下地面に取り付けるとき、該係止固定部が該化粧材に押圧されて内向きに弾性的に変位した後、該係止固定部が弾性復帰する際に、上記係合部が対応する係合面に係合当接して該係合面を下地面側の斜め外向きに押圧するように形成されていることを特徴とする。
【０００８】
上記の構成によれば、化粧材の裏面側に設けられたテーパ状に形成された各係合面に化粧材取付具の各係止固定部の係合部が係合当接し、その係合面を下地面側の斜め外向きに押圧することとなるので、この下地面側に作用する力によって化粧材の前後方向におけるガタツキが防止され、外向きに作用する力によって化粧材取付具からの外れが防止されることとなる。すなわち、係止固定部及び係合面という単一の組合せ構成によって、化粧材の前後方向におけるガタツキ及び化粧材取付具からの外れの両方が同時に防止されることとなる。
【０００９】
また、厚く重い化粧材を取り付けるためには、それに耐えうる肉厚の化粧材取付具を用いる必要があるが、鋭角状に屈曲加工した部分を有するようなものでは、その屈曲部にクラックを発生するおそれがある。しかしながら、上記の構成によれば、案内部が板状基端部に続き板状基端部に対して鈍角をなすように屈曲しているので、屈曲部でのかかるクラックの発生が抑止され、そのため化粧材取付具の耐久性が優れることとなる。
【００１０】
さらに、基板部から遠ざかるように斜め内向きに延びる案内部により化粧材がガイドされることとなるので、化粧材の取付作業が容易化されることとなる。
【００１１】
本発明の化粧材取付具は、上記基板部に、化粧材を下地面に取り付けるとき、該化粧材の裏面側に形成された突出部の側面に当接して該化粧材を位置決めする化粧材位置決め部が立設されているものであってもよい。
【００１２】
かかる構成によれば、化粧材の取付の際には、化粧材位置決め部が化粧材の突出部の側面に当接して化粧材を案内することによりその位置決めをすることができ、結果として高い化粧材の施工精度を得ることができ、化粧材の取付後には、突出部に当接した化粧材位置決め部が化粧材の移動を規制することによりその取付状態をより強固なものとすることができる。
【００１３】
本発明の化粧材取付具は、上記基板部に下地面への固定位置の位置決めをするための取付具位置決め標が設けられているものであってもよい。
【００１４】
かかる構成によれば、化粧材取付具を下地面の所定位置に位置決めして固定することができるので、結果として高い化粧材の施工精度を得ることができる。
【００１５】
本発明の化粧材取付具を用いた本発明の化粧材取付構造は、下地面に化粧材取付具を介して化粧材を取り付けたものを前提とする。そして、
上記化粧材取付具は、弾性を有する材料で形成されており、下地面に固定される基板部と、相互に対向するように設けられ各々が該基板部から斜め外向きに延びるように立ち上がる板状基端部と該板状基端部に続き該板状基端部に対して鈍角をなすように屈曲して該基板部から遠ざかるように斜め内向きに延びる案内部と該板状基端部及び該案内部の屈曲部を基端として該板状基端部から切り出された舌片により構成され該屈曲部から該基板部に近づくように斜め外向きに延びる係合部とからなる一対の係止固定部と、を備える一方、
上記化粧材は、裏面側に、表面側から裏面側に行くに従って相互に漸近するように傾斜した対向する一対の係合面を備え、
上記各係合部は対応する上記係合面に係合当接して該係合面を下地面側の斜め外向きに押圧することを特徴とする。
【００１６】
かかる構成によれば、化粧材の前後方向におけるガタツキ及び化粧材取付具からの外れの両方が同時に防止されると共に、化粧材取付具の耐久性が優れることに対応して高耐久なものとなる。
【００１７】
【発明の効果】
以上説明したように、本発明の化粧材取付具によれば、化粧材の前後方向におけるガタツキ及び化粧材取付具からの外れの両方を同時に防止することができる。また、案内部が板状基端部に対して鈍角をなすように屈曲しているので、屈曲部でのクラックの発生が抑止されて耐久性が優れることとなる。さらに、案内部により化粧材がガイドされることとなるので、化粧材の取付作業を容易化することができる。
【００１８】
本発明の化粧材取付構造によれば、化粧材の前後方向におけるガタツキ及び化粧材取付具からの外れの両方を同時に防止することができると共に、化粧材取付具の耐久性が優れることに対応して高耐久なものとなる。
【００１９】
【発明の実施の形態】
以下、本発明の実施形態を図面に基づいて詳細に説明する。
【００２０】
（実施形態１）
図１は、本発明の実施形態１に係る化粧材取付具１０を示す。この化粧材取付具１０は、建築物の外装化粧材や破風板を取り付けるために使用されるものである。
【００２１】
この化粧材取付具１０は、厚さ０．３〜１．０ｍｍの弾性を有する金属製（バネ鋼ＳＵＰ３、ステンレス等）の平板を加工したものであり、略長方形の基板部１１と、基板部１１の両短辺側部に相互に対向するように設けられた一対の係止固定部１２と、基板部１１における各係止固定部１２のやや内側に設けられた一対の固定具挿通孔１３と、基板部１１の両長辺側部中央及び基板中央にそれぞれ設けられた取付具位置決め標１４ａ，１４ｂと、を備えている。
【００２２】
各係止固定部１２は、基板部１１の短辺側部から切り出された略長方形の舌片により構成されている。また、各係止固定部１２は、基板部１１に続いて基板部１１から遠ざかるように斜め外向きに延びる板状基端部１２ａと、板状基端部１２ａに続き板状基端部１２ａに対して鈍角をなすように屈曲して基板部１１から遠ざかるように斜め内向きに延びる案内部１２ｂと、それらの屈曲部１２ｄを基端として板状基端部１２ａから切り出された長方形の舌片により構成され屈曲部１２ｄから基板部１１に近づくように斜め外向きに延びる係合部１２ｃと、からなる。
【００２３】
基板部１１の両長辺側部中央に設けられた各取付具位置決め標１４ａはＶ字状の切り込みで、また、基板部１１の基板中央に設けられた取付具位置決め標１４ｂは菱形の欠損でそれぞれが構成されており、それらは、前者の頂部及び後者の対向する一対の頂部が一直線上に配置されるように設けられている。
【００２４】
図２は、下地壁（下地面）３０に固定された化粧材取付具１０に化粧材２０が取り付けられた化粧材取付構造を示す。この化粧材取付構造では、化粧材２０が縦方向に延びるように設けられている。
【００２５】
化粧材２０は、水硬化性材料を長尺に押出成形したものである。化粧材２０の裏面側には、その長手方向に延びる一対の凹溝２１が間隔をおいて形成されており、それらの凹溝２１によって挟まれるように長手方向に延びる断面略矩形の突条の突出部２２が形成されている。また、各凹溝２１の突出部２２とは反対側の側面には、断面略三角形の突起部２３が形成されており、その突起部２３の凹溝２１の底部側を向く面が表面側から裏面側に行くに従って内向きに傾斜したテーパ状の係合面２３ａを及び凹部の開口側を向く面が係合面２３ａに続いて外向きに傾斜した案内面２３ｂをそれぞれ構成している。これによって、化粧材２０には、その裏面側に、表面側から裏面側に行くに従って相互に漸近するように傾斜した対向する一対の係合面２３ａと、表面側から裏面側に行くに従って相互に離れるように傾斜した一対の案内面２３と、が形成されたものとなっている。
【００２６】
下地壁３０は、柱状の木下地３１に胴縁３２を介して設けられたサイディング材３３により構成されている。
【００２７】
この化粧材取付構造を構成するとき、化粧材取付具１０は、基板部１１に設けられた固定具挿通孔１３に表側から取付ねじ４０が通され、取付ねじ４０がサイディング材３３、胴縁３２及び木下地３１に打ち込まれ、取付ねじ４０の頭部が固定具挿通孔１３の縁部に係合することにより下地壁３０に固定される。このとき、化粧材取付具１０は、取付具位置決め標１４ａ，１４ｂが下地壁３０の表面に標された取付具位置決め標に合わされることにより位置決めされる。
【００２８】
また、化粧材２０は、下地壁３０に固定された化粧材取付具１０に被せるように取り付けられる。このとき、図３に示すように、化粧材２０の案内面２３ｂに化粧材取付具１０の案内部１２ｂが当接して相互にガイドし合うと共に、化粧材２０が下地壁３０側に移動するに従って各係止固定部１２が化粧材２０の突起部２３に押圧されて内向きに弾性的に変位する。また、図４に示すように、化粧材２０の案内面２３ｂが裏面に対してなす角度αよりも化粧材取付具１０の案内部１２ｂが基板部１１に対してなす角度βの方が僅かに大きく設定されており、これによって案内部１２ｂが案内面２３ｂを摺動し、案内部１２ｂの内向きへの弾性的な変位が容易になされるようになっている。そして、化粧材２０がさらに下地壁３０側に移動すると、案内面２３ｂが案内部１２ｂに続いて係合部１２ｃに案内された後、図５に示すように、係合部１２ｃの先端が案内面２３ｂの端、すなわち、突出部２２の頂部を乗り越え、それによって係止固定部１２が長さＡだけ弾性復帰し、係合部１２ｃが係合面２３ａに係合当接して係合面２３ａを下地壁３０側の斜め外向きに押圧する。
【００２９】
上記の構成によれば、化粧材２０の裏面側に設けられたテーパ状に形成された各係合面２３ａに化粧材取付具１０の各係止固定部１２の係合部１２ｃが係合当接し、その係合面２３ａを下地壁３０側の斜め外向きに押圧することとなるので、この下地壁３０側に作用する力によって化粧材２０の前後方向におけるガタツキが防止され、外向きに作用する力によって化粧材取付具１０からの外れが防止されることとなる。すなわち、係止固定部１２及び係合面２３ａという単一の組合せ構成によって、化粧材２０の前後方向におけるガタツキ及び化粧材取付具１０からの外れの両方が同時に防止されることとなる。
【００３０】
また、厚く重い化粧材を取り付けるためには、それに耐えうる肉厚の化粧材取付具を用いる必要があり、鋭角状に屈曲加工した部分を有するようなものでは、その屈曲部１２ｄにクラックを発生するおそれがあるが、案内部１２ｂが板状基端部１２ａに続き板状基端部１２ａに対して鈍角をなすように屈曲しているので、屈曲部１２ｄでのかかるクラックの発生が抑止され、そのため化粧材取付具１０の耐久性が優れることとなる。
【００３１】
さらに、化粧材取付具１０の案内部１２ｂ及び化粧材２０の案内面２３ｂが相互にガイドし合うので、化粧材２０の取付作業が容易化されることとなる。
【００３２】
また、基板部１１に取付具位置決め標１４ａ，１４ｂが設けられており、化粧材取付具１０を下地壁３０の所定位置に位置決めして固定することができるので、結果として高い化粧材２０の施工精度を得ることができる。
【００３３】
従って、化粧材取付構造では、化粧材２０の前後方向におけるガタツキ及び化粧材取付具１０からの外れの両方が同時に防止されると共に耐久性に富み、且つ化粧材２０の取付精度が高いものとなる。
【００３４】
（実施形態２）
図６は、本発明の実施形態２に係る化粧材取付具１０を示す。なお、実施形態１と同一部分は同一符号で示す。
【００３５】
この化粧材取付具１０は、一方の固定具挿通孔１３と基板部１１中央の取付具位置決め標１４ｂとの間に基板部１１から長方形状に切り出された舌片により構成され基板部１１に対して垂直に延びるように立設された化粧材位置決め部１５を備えている。この化粧材位置決め部１５は、化粧材２０を下地壁３０に取り付けるとき、化粧材２０の裏面側に形成された突出部２２の側面に当接して化粧材２０を位置決めするものである。
【００３６】
その他の構成は、実施形態１と同一である。
【００３７】
図７は、下地壁３０に固定された化粧材取付具１０に化粧材２０が取り付けられた化粧材取付構造を示す。この化粧材取付構造では、化粧材２０が横方向に延びるように設けられており、化粧材位置決め部１５が突出部２２の下側を支持したものとなっている。
【００３８】
上記構成の化粧材取付具１０によれば、化粧材２０の取付の際には、化粧材位置決め部１５が化粧材２０の突出部２２の側面に当接して化粧材２０を案内することによりその位置決めを行うことができ、結果として高い化粧材２０の施工精度を得ることができ、化粧材２０の取付後には、化粧材位置決め部１５が突出部２２と当接して化粧材２０の幅方向の移動を規制することによりその取付状態をより強固なものとすることができる。
【００３９】
その他の作用・効果は実施形態１と同一である。
【００４０】
（その他の実施形態）
上記実施形態１及び２では、係合部１２ｃの先端の係合面２３ａとの接触部を直線状に形成したものとしたが、特にこれに限定されるものではなく、図８に示すように、係合部１２ｃの先端をのこぎり歯状に形成したものとしてもよい。同様に、上記実施形態では、係合面２３ａを平面状に形成したものとしたが、特にこれに限定されるものではなく、係合面２３ａを凹凸面に形成したものとしてもよい。これによって、係合部１２ｃの係合面２３ａへの係合がより確実なものとなり、化粧材２０の化粧材取付具１０への取付状態が極めて強固なものとなる。
【００４１】
上記実施形態２では、化粧材位置決め部１５を１つだけ設けたが、特にこれに限定されるものではなく、図９に示すように、化粧材２０の突出部２２を狭持できるように一対の化粧材位置決め部１５を設けるようにしてもよい（図９では化粧材２０が縦方向に延びるように取り付けられた構造を示す）。これによって、より高精度に化粧材２０の位置決めを行うことができ、化粧材２０の取付状態がより一層強固なものとなる。
【図面の簡単な説明】
【図１】  本発明の実施形態１に係る化粧材取付具の斜視図である。
【図２】  本発明の実施形態１に係る化粧材取付構造の断面図である。
【図３】  実施形態１の化粧材を化粧材取付具に取り付ける過程を示す説明図である。
【図４】  実施形態１の化粧材の係合面の裏面に対する角度及び化粧材取付具の係合部の基板部に対する角度をそれぞれ示す説明図である。
【図５】  実施形態１の化粧材取付具の係合部の化粧材の係合面への係合当接状態を示す説明図である。
【図６】  本発明の実施形態２に係る化粧材取付具の斜視図である。
【図７】  本発明の実施形態２に係る化粧材取付構造の断面図である。
【図８】  その他の実施形態に係る化粧材取付部の係合部を示す斜視図である。
【図９】  その他の実施形態に係る化粧材取付構造の断面図である。
【符号の説明】
１０  化粧材取付具
１１  基板部
１２  係止固定部
１２ａ  板状基端部
１２ｂ  案内部
１２ｃ  係合部
１２ｄ  屈曲部
１３  固定具挿通孔
１４ａ，１４ｂ  取付具位置決め標
１５  化粧材位置決め部
２０  化粧材
２１  凹溝
２２  突出部
２３  突起部
２３ａ  係合面
２３ｂ  案内面
３０  下地壁
３１  木下地
３２  胴縁
３３  サイディング材
４０  取付ねじ
【図１】
0003962620.tif 000002
【図２】
0003962620.tif 000003
【図３】
0003962620.tif 000004
【図４】
0003962620.tif 000005
【図５】
0003962620.tif 000006
【図６】
0003962620.tif 000007
【図７】
0003962620.tif 000008
【図８】
0003962620.tif 000009
【図９】
0003962620.tif 000010